(57)【要約】【課題】余剰水の拡散及び排水を効率的に行える上、土壌内へ空気を導くことができる緑化用保水ボードを提供する。【解決手段】表面に複数の保水凹部１０を形成した緑化用保水ボードであって、前記複数の保水凹部１０間の仕切り壁ａ２の上面に、略水平方向へ延びる通水通気溝２１を形成することで、余剰水を拡散及び排水し易くするとともに土壌内へ空気を導くための空間部を確保した。【選択図】　　図１
2004049137.tif 000002
【特許請求の範囲】
【請求項１】
表面に複数の保水凹部を形成した緑化用保水ボードであって、
前記複数の保水凹部間の仕切り壁の上面に、略水平方向へ延びる通水通気溝を形成したことを特徴とする緑化用保水ボード。
【請求項２】
上記通水通気溝の底面に、裏面側へ貫通する排水通気孔を形成したことを特徴とする請求項１記載の緑化用保水ボード。
【請求項３】
隣り合う上記保水凹部の上側部位間に、これら保水凹部同士を連通する保水凹部間連通溝を形成したことを特徴とする請求項１又は２に記載の緑化用保水ボード。
【請求項４】
複数の当該緑化用保水ボードが側面同士で接合されるように、対峙する一方の側面に嵌合部を形成するとともに、他方の側面には、前記嵌合部へ凹凸状に嵌り合う被嵌合部を形成したことを特徴とする請求項１乃至３の何れか１項に記載の緑化用保水ボード。
【発明の詳細な説明】
【０００１】
【発明の属する技術分野】
本発明は、建築物の屋上や一般住宅のベランダ等に敷設され、植物を栽培するための土壌が堆積される緑化用保水ボードに関するものである。
【０００２】
【従来の技術】
近年、都市部のヒートアイランド現象の緩和、ＣＯ２削減等の環境対策の一環として、建物の屋上やベランダ等に軽量土壌を堆積し、花、草、木等を栽培するという緑化への動きが盛んになっている。
従来、建物の屋上やベランダ等に軽量土壌を堆積するために敷設されるマットとして、例えば、特開２０００−１４２４６号公報に開示された屋上緑化用保水マットがある。
このマットは、合成樹脂からなるマットの上面に複数の保水凹部を形成するとともに、これら複数の保水凹部間の仕切り壁の上面にフラット部を形成してなり、散水される水を前記保水凹部によって保持し、前記保水凹部から溢れ出る余剰水を前記フラット部に伝わせて拡散したり排水したりするものである。
【０００３】
しかしながら、上記従来技術によれば、マット上面に不織布等からなる保水シートが敷設され、該保水シートの上に土壌が堆積されると、上方向きに突出した前記フラット部の表面に保水シートが強く接触するため、前記フラット部の表面には空間が確保されず、保水凹部から溢れ出る余剰水の拡散及び排水をスムーズに行えないという懸念があった。
また、植物の栽培を促進させるには、上記した余剰水の拡散や排水の他に、土壤内への空気の供給が不可欠であるが、上記従来技術では、土壤内へ空気を導くための工夫がなされていなかった。
【０００４】
【発明が解決しようとする課題】
本発明は上記従来事情に鑑みてなされたものであり、その目的とする処は、余剰水の拡散及び排水を効率的に行える上、土壌内へ空気を導くことができる緑化用保水ボードを提供することにある。
【０００５】
【課題を解決するための手段】
上記課題を解決するために第一の発明は、表面に複数の保水凹部を形成した緑化用保水ボードであって、前記複数の保水凹部間の仕切り壁の上面に、略水平方向へ延びる通水通気溝を形成したことを特徴とする。
【０００６】
更に、第二の発明は、上記通水通気溝の底面に、裏面側へ貫通する排水通気孔を形成したことを特徴とする。
更に、第三の発明は、隣り合う上記保水凹部の上側部位間に、これら保水凹部同士を連通する保水凹部間連通溝を形成したことを特徴とする。
更に、第四の発明は、複数の当該緑化用保水ボードが側面同士で接合されるように、対峙する一方の側面に嵌合部を形成するとともに、他方の側面には、前記嵌合部へ凹凸状に嵌り合う被嵌合部を形成したことを特徴とする。
【０００７】
【発明の実施の形態】
以下、本発明の実施の形態である緑化用保水ボードＡの一例を図面に基づいて説明する。
緑化用保水ボードＡは、ポリスチレン樹脂や、ポリエチレン樹脂、ポリプロピレン樹脂、エチレン−酢酸ビニル樹脂、塩化ビニル樹脂、ウレタン樹脂等の合成樹脂からなる発泡成形体であり、その表面に、複数の保水凹部１０、ＸＹ方向に延在する通水通気溝２１，２２、該通水通気溝の底面に配設された排水通気孔３０、隣り合う前記保水凹部１０を連通するＸＹ方向の保水凹部間連通溝４１，４２等を形成するとともに、裏面に排水通気溝５０を形成し、更に、側面には、嵌合部７１及び被嵌合部７２を形成している。
【０００８】
保水凹部１０は、平面視矩形状の有底孔であり、その底部側に、縦断面逆台形状に狭められた貯溜部１１を有する。
尚、保水凹部１０の幅寸法（図１におけるＸ方向の寸法）は、特に限定されるものではないが、該保水凹部１０内へパーライトや、焼成土、軽石等の多孔質粒土が挿入され易くする観点から１０ｍｍ以上とし、且つ作業時に歩行し易く、しかも挿入された前記多孔質粒土が踏み潰され割れることがないように、７０ｍｍ以下とすることが好ましく、本実施の形態の特に好ましい一例によれば、２５〜５０ｍｍの範囲内に設定されている。
【０００９】
そして、この保水凹部１０は、仕切り壁ａ１，ａ２，ａ３を介して、当該緑化用保水ボードのＸ方向及びＹ方向（図１参照）に複数配置されている。
【００１０】
前記仕切り壁ａ１は、Ｙ方向に並ぶ保水凹部１０，１０間を仕切っており、その上面には、Ｘ方向の通水通気溝２１が形成される。
前記仕切り壁ａ２及びａ３は、Ｘ方向に並ぶ保水凹部１０，１０間を仕切っている。そして、一方の仕切り壁ａ２は、他方の仕切り壁ａ３よりも幅が広く、二つの保水凹部１０，１０毎に配置され、該仕切り壁ａ２の上面には、Ｙ方向の通水通気溝２２が形成される。
【００１１】
Ｘ方向及びＹ方向の通水通気溝２１，２２は、それぞれが縦断面凹字状の溝であり、略水平方向へ延在している。
そして、Ｘ方向の通水通気溝２１の底面には、該通水通気溝２１とＹ方向の通水通気溝２２との交差部位を含むようにして、所定間隔置きに排水通気孔３０が形成されている。
【００１２】
尚、本実施の形態の一例によれば、上記通水通気溝２１，２２を仕切り壁ａ１，ａ２の上面に設けることで、正方形の格子状に通水通気溝２１，２２を配置し、これら通水通気溝２１，２２によって形成される各格子内に、二つの保水凹部１０が配設されるようにしたが、更に仕切り壁ａ３の上面に通水通気溝を形成して、いっそう通水通気性を向上するようにしても構わない。
【００１３】
排水通気孔３０は、Ｘ方向の通水通気溝２１の底面から、当該緑化用保水ボードＡの裏面側の排水通気溝５０の上面まで貫通されており、排水通気溝５０から通水通気溝２１，２２への空気の導入、及び通水通気溝２１，２２から排水通気溝５０への排水を可能にしている。
【００１４】
Ｘ方向及びＹ方向の保水凹部間連通溝４１，４２は、隣り合う保水凹部１０，１０の上側部位１２，１２間に、これら保水凹部１０，１０同士を連通するようにして形成される。Ｘ方向の保水凹部間連通溝４１は、Ｙ方向の通水通気溝２２及び仕切り壁ａ２，ａ３を分断し、また、Ｙ方向の保水凹部間連通溝４２は、Ｘ方向の通水通気溝２１及び仕切り壁ａ１を分断している。
そして、これら保水凹部間連通溝４１，４２は、保水凹部１０の下側部位である貯溜部１１から溢れ出る余剰水を、ＸＹ方向に隣り合う他の保水凹部１０へ分散する。
【００１５】
排水通気溝５０は、当該緑化用保水ボードＡの裏面側に、少なくとも上記排水通気孔３０と交差状に配設されることで、排水通気孔３０へ導入される空気を確保したり、通水通気溝２１，２２から排水通気孔３０へ流入した水を排水したりするための通路となる。
この排水通気溝５０は、本実施の形態の好ましい一例によれば、Ｘ方向の通水通気溝２１とＹ方向の通水通気溝２２とにそれぞれ対応するように、当該緑化用保水ボードの裏面側に配設され、該溝５０内の上面に、排水通気孔３０の下端開口部が配置されるようにしている。
【００１６】
また、当該の緑化用保水ボードＡの外周側面には、複数の当該緑化用保水ボードが側面同士で接合されるように、対峙する一方の側面に嵌合部７１を形成するとともに、他方の側面には、前記嵌合部７１へ凹凸状に嵌り合う被嵌合部７２を形成している（図２（ａ）（ｂ）参照）。
【００１７】
嵌合部７１は、当該緑化用保水ボードＡの側面の上半部を外方へ突出させるとともに、同側面の下半部を内方へ凹ませた形状を呈し、本実施の形態の一例によれば、Ｘ方向の両側面の内の一方と、Ｙ方向の両側面の内の一方とに、それぞれ形成されている。
【００１８】
被嵌合部７２は、前記嵌合部７１へ凹凸状に嵌り合うように、当該緑化用保水ボードＡの側面の上半部を内方へ凹ませるとともに、同側面の下半部を外方へ突出させた形状を呈し、前記Ｘ方向の両側面の内の他方と、前記Ｙ方向の両側面の内の他方とに、それぞれ形成されている。
【００１９】
尚、嵌合部７１及び被嵌合部７２の形状は、本実施の形態に限定されるものでなく、例えば、嵌合部を縦断面凸字状に形成するとともに、前記嵌合部に嵌り合う縦断面凹字状に形成しても構わない。
【００２０】
次に、上記構成の緑化用保水ボードＡを用いて、建物の屋上で植物を栽培するようにした一例について、図３に基づいて詳細に説明する。
先ず、建物の屋上の下地コンクリート６１上に、防水層６２と絶縁シート６３とが順に敷設され、該絶縁シート６３の上に緑化用保水ボードＡが敷設される。通常、建物の屋上の下地コンクリート６１上などに敷設される防水層としては、アスファルトからなるアスファルト防水層、ウレタンなどを塗布してなる塗膜防水層、塩化ビニル系，オレフィン系，アクリル系などの樹脂製シートからなるシート防水層などがあり、この際、絶縁シート６３は敷設しないこともあるが、緑化用保水ボードＡが防水層６２との接触で悪影響を受けるような場合には、防水層６２と緑化用保水ボードＡとの間に絶縁シート６３を敷設する。すなわち、例えば、防水層６２が塩化ビニル系シート防水層からなり緑化用保水ボードＡがポリスチレン樹脂系の発泡成形体からなる場合、塩化ビニル系シートに添加されている可塑剤が緑化用保水ボードＡのポリスチレン樹脂系に移行して、緑化用保水ボードＡを変形してしまうことがあるので、そのような場合に絶縁シート６３を敷設する。従って、絶縁シートとしては、前記した悪影響を避けるため、通常ポリエチレン、ポリプロピレン、ウレタンなどのシートまたは発泡シートが使用される。
そして、緑化用保水ボードＡの保水凹部１０内に、パーライトや、焼成土、軽石等の保水性を有し且つ軽量な多孔質粒土６４が挿入され、更にその上に、不織布からなる保水シート６５が敷設され、該保水シート６５の上面には土壌６６が堆積される。
【００２１】
上記構成によれば、通水通気溝２１，２２によって、保水シート６５の下面と通水通気溝２１，２２の底面との間に空間が確保され、この空間が、排水通気孔３０を介して当該緑化用保水ボードＡ裏面側の排水通気溝５０内の空間と連通する。
したがって、排水通気溝５０から排水通気孔３０を介して導入される空気は、通水通気溝２１，２２によって水平方向へ拡散され、上方の保水シート６５を通過して土壌６６内へ染み渡ることになる。
また、土壌６６への散水が行われた際には、保水凹部１０の貯溜部１１（図１及び２参照）に水が貯溜されるとともに、保水凹部１０内の余剰水が保水凹部間連通溝４１によって隣り合う保水凹部１０へ次々と分散されて行く。
また、土壌６６への散水量が過剰な場合には、保水凹部１０から溢れ出た余剰水が、通水通気溝２１，２２に流入して、水平方向へ拡散されるとともに、排水通気孔３０内と排水通気溝５０内を順に流通して、当該緑化用保水ボードＡの端部から排水されることになる。
【００２２】
【発明の効果】
本発明は、以上説明したように構成されているので、以下に記載されるような作用効果を奏する。
第一の発明によれば、保水凹部間の仕切り壁の上面に略水平方向へ伸びる通水通気溝を形成しているため、前記仕切り壁の上面に不織布からなる保水シートが敷設され、該保水シートの上に土壌が堆積された場合でも、保水シートの下面と通水通気溝の底面との間に空間が確保される。
そして、この空間は、当該緑化用保水ボード上の土壌への散水量が多すぎるときには、保水凹部から溢れ出る余剰水を、水平方向へ拡散したり当該緑化用保水ボードの端部へ導いて排水したりする通水路となり、散水量が少なく保水凹部から溢れ出る余剰水が無いときには、植物の育成に不可欠な空気を確保すとともに該空気を水平方向へ拡散し土壌内へ導くための通気路となる。
よって、余剰水の拡散及び排水を効率的に行える上、土壌内へ空気を導くことができ、ひいては植物の栽培を飛躍的に促進させることができる。
【００２３】
更に、第二の発明によれば、排水通気孔が、通水通気溝内の余剰水を当該緑化用保水ボードの裏面側へ排水したり、当該緑化用保水ボードの裏面側から通水通気溝へ空気を導いたりするため、余剰水の排水効率を向上できる上、土壌内への空気の導入をいっそう確実にすることができる。
しかも、排水通気孔が通水通気溝の底面に配設されているため、当該緑化用保水ボードの上面に保水シートが敷設されたとしても、該保水シートの下面と通水通気溝の底面との間に確保される空間によって、排水通気孔の上端開口部が保水シートにより塞がれてしまうのを防止することができる。
【００２４】
更に、第三の発明によれば、保水凹部に溜まる水を、上記通水通気溝及び上記排水通気孔によって拡散したり排出したりする前に、保水凹部間連通溝によって隣り合う保水凹部へ次々と分散することができる。
しかも、保水凹部内の余剰水が通水通気溝へ流入し難くなるため、通水通気溝による空気の確保及び拡散効果と、排水通気孔による空気の導入効果とを向上することができる。
【００２５】
更に、第四の発明によれば、複数の当該緑化用保水ボードの接続を凹凸状に嵌り合う嵌合部及び被嵌合部によって確実に行えるようにしたため、接続箇所が保水凹部間連通溝にかかっていたとしても、該接続箇所からの水漏れのために保水凹部間連通溝による余剰水の分散効果が損なわれるようなことがない。
【図面の簡単な説明】
【図１】本発明に係わる緑化用保水ボードの一例を示す斜視図であり、要部を切欠して示している。
【図２】二つの同緑化用保水ボードを接続させている状態を示す要部断面図であり、（ａ）は図１における（ａ）−（ａ）線に沿う断面で示し、（ｂ）は図１における（ｂ）−（ｂ）線に沿う断面で示している。
【図３】同緑化用保水ボードを用いて屋上で植物を栽培している状態を示す断面図。
【符号の説明】
１０：保水凹部　　　　　　　　　　１２：上側部位
ａ１，ａ２，ａ３：仕切り壁　　　　２１，２２：通水通気溝
３０：排水通気孔　　　　　　　　　４１，４２：保水凹部間連通溝
５０：排水通気溝　　　　　　　　　Ａ：緑化用保水ボード
【図１】
2004049137.tif 000003
【図２】
2004049137.tif 000004
【図３】
2004049137.tif 000005